(57)【要約】【課題】ユーザが自ら体感する温度とユーザの意図に基づいて、ユーザ自ら希望する設定温度をコントローラに送信し、快適な室内温度を設定する。【解決手段】温度調節システムは、携帯情報端末と、位置情報発信装置と、温度調節サーバと、空気温度調節装置とを備える。携帯情報端末は、希望する空気温度を取得する希望温度取得手段と、位置情報を検出する位置情報検出手段と、温度調節サーバに希望する空気温度と位置情報の設定要求を送信する温度設定要求手段とを備える。位置情報発信装置は、位置情報送信手段を備える。温度調節サーバは、温度調節の開始を通知する温度調節開始通知手段と、設定温度を決定する設定温度決定手段と、決定した設定温度を空気温度調節装置に送信する設定温度送信手段とを備える。空気温度調節装置は、設定温度を、調整された空気温度として設定し、調整された空気温度となるように空気温度調節装置を運転する。【選択図】図１
2009052805.tif 000002
【特許請求の範囲】
【請求項１】
ユーザにより希望される空気温度と自端末の位置情報を送信する携帯情報端末と、前記携帯情報端末に該携帯情報端末が位置する前記位置情報を送信する位置情報発信装置と、前記携帯情報端末から送信される前記空気温度と前記位置情報を受信する温度調節サーバと、前記温度調節サーバにより送信される設定温度を受信する空気温度調節装置とを備えた温度調節システムであって、
前記携帯情報端末は、
ユーザにより入力される前記希望される空気温度を取得する希望温度取得手段と、
前記位置情報発信装置から当該携帯情報端末が位置する前記位置情報を受信すると共に、当該位置情報を検出する位置情報検出手段と、
前記温度調整サーバの温度調節開始通知手段によって通知される温度調節の開始を受信すると、当該温度調節サーバに前記希望される空気温度と前記位置情報を送信する温度設定要求手段と、を備え、
前記位置情報発信装置は、
前記携帯情報端末が位置する前記位置情報を、当該携帯情報端末に送信する位置情報送信手段を備え、
前記温度調節サーバは、
前記携帯情報端末に前記温度調節の開始を通知する前記温度調節開始通知手段と、
前記携帯情報端末から、前記希望される空気温度と前記位置情報を受信すると、当該希望される空気温度と前記位置情報に基づいて、設定温度を決定する設定温度決定手段と、
前記設定温度決定手段によって決定した前記設定温度を、前記空気温度調節装置に送信する設定温度送信手段と、を備え、
前記空気温度調節装置は、
前記温度調節サーバの前記設定温度送信手段によって送信された前記設定温度を、調整された空気温度として当該空気温度調節装置に設定し、当該調整された空気温度となるように当該空気温度調節装置を運転し、空気温度を調節する
ことを特徴とする温度調節システム。
【請求項２】
前記温度調節サーバは、
前記携帯情報端末から、前記希望される空気温度と前記位置情報を受信すると、前記希望される空気温度の設定要求が含まれているか否か判断し、当該希望される空気温度の設定要求が含まれている場合には、当該希望される空気温度が予め設定された設定可能温度幅の許容範囲内に有るか否かを判断する設定温度適正可否判断手段と、
前記設定温度適正可否判断手段によって前記希望される空気温度が前記予め設定された設定可能温度幅の許容範囲内に有る場合には、当該希望される空気温度に基づいて、前記設定温度を決定する許容範囲設定温度決定手段と、
前記許容範囲設定温度決定手段によって決定した前記設定温度を前記空気温度調節装置に送信する許容範囲設定温度送信手段と、
を更に備えることを特徴とする請求項１に記載の温度調節システム。
【請求項３】
前記温度調節サーバは、
前記設定温度決定手段、又は前記設定温度適正可否判断手段により、前記希望される空気温度に基づいて、前記予め設定された設定可能温度幅の許容範囲内に納まるように補正して前記設定温度を決定する設定温度補正手段
を更に備えることを特徴とする請求項１又は２に記載の温度調節システム。
【請求項４】
前記携帯情報端末を複数台備えた前記温度調節システムであって、
前記温度調節サーバは、
複数の前記携帯情報端末から、それぞれ前記希望される前記空気温度と前記位置情報を受信する複数設定要求受信手段と、
複数の前記希望される空気温度と前記位置情報に基づいて、前記予め設定された設定可能温度幅の許容範囲内に納まるように補正して前記設定温度を決定する設定温度補正決定手段と、
を更に備えることを特徴とする請求項１乃至３の何れか１項に記載の温度調節システム。
【請求項５】
前記設定温度は、
前記複数の希望される空気温度と位置情報に基づいて、平均設定温度を計算したものである
ことを特徴とする請求項４に記載の温度調節システム。
【請求項６】
ユーザにより希望される空気温度と自端末の位置情報を送信する携帯情報端末と、前記携帯情報端末に該携帯情報端末が位置する前記位置情報を送信する位置情報発信装置と、前記携帯情報端末から送信される前記空気温度と前記位置情報を受信する温度調節サーバと、前記温度調節サーバにより送信される設定温度を受信する空気温度調節装置とを備えた温度調節システムにおける温度調節方法であって、
前記携帯情報端末が、ユーザにより入力される前記希望される空気温度を取得する希望温度取得ステップと、
前記位置情報発信装置が、前記携帯情報端末が位置する前記位置情報を、当該携帯情報端末に送信する位置情報送信ステップと、
前記携帯情報端末が、当該携帯情報端末が位置する前記位置情報を受信すると共に、当該位置情報を検出する位置情報検出ステップと、
前記温度調節サーバが、前記携帯情報端末に温度調節の開始を通知する温度調節開始通知ステップと、
前記携帯情報端末が、前記温度調節開始通知ステップにおいて、前記温度調節の開始を受信すると、当該携帯情報端末が前記温度調節サーバに前記希望される空気温度と前記位置情報を送信する温度設定要求ステップと、
前記温度調節サーバが、前記携帯情報端末から前記希望される空気温度と前記位置情報を受信すると、当該希望される空気温度に基づいて、設定温度を決定する設定温度決定ステップと、
前記温度調節サーバが、前記設定温度決定ステップにおいて決定した前記設定温度を、前記空気温度調節装置に送信する設定温度送信ステップと、
前記空気温度調節装置が、前記設定温度送信ステップにおいて送信された前記設定温度を、調整された空気温度として当該空気温度調節装置に設定し、当該調整された空気温度となるように当該空気温度調節装置を運転し、空気温度を調節する
ことを特徴とする温度調節方法。
【請求項７】
前記温度調節サーバが、前記携帯情報端末から、前記希望される空気温度と前記位置情報を受信すると、前記希望される空気温度の設定要求が有るか否か判断し、当該希望される空気温度の設定要求がある場合には、当該希望される空気温度が予め設定された設定可能温度幅の許容範囲内に有るか否かを判断する設定温度適正可否判断ステップと、
前記温度調節サーバが、前記設定温度適正可否判断ステップにおいて、前記希望される空気温度が前記予め設定された設定可能温度幅の許容範囲内に有る場合には、当該希望される空気温度に基づいて、設定温度を決定する許容範囲設定温度決定ステップと、
前記温度調節サーバが、前記許容範囲設定温度決定ステップにおいて決定した前記設定温度を、前記空気温度調節装置に送信する許容範囲設定温度送信ステップと、
を更に備えることを特徴とする請求項６に記載の温度調節方法。
【請求項８】
前記温度調節サーバが、前記設定温度決定ステップ、又は前記設定温度適正可否判断ステップにおいて、前記希望される空気温度に基づいて、前記予め設定された設定可能温度幅の許容範囲内に納まるように補正して前記設定温度を決定する設定温度補正ステップ
を更に備えることを特徴とする請求項６又は７に記載の温度調節方法。
【請求項９】
前記携帯情報端末を複数台備えた前記温度調節方法における温度調節方法であって、
前記温度調節サーバが、複数の前記携帯情報端末から、それぞれ前記希望される空気温度と前記位置情報を受信する複数設定要求受信ステップと、
複数の前記希望される空気温度と前記位置情報に基づいて、前記予め設定された設定可能温度幅の許容範囲内に納まるように補正して前記設定温度を決定する設定温度補正決定ステップと、
を更に備えることを特徴とする請求項６乃至８の何れか１項に記載の温度調節方法。
【請求項１０】
前記設定温度は、
前記複数の希望される空気温度と前記位置情報に基づいて、平均設定温度を計算したものである
ことを特徴とする請求項９に記載の温度調節方法。
【請求項１１】
空気の温度調節を管理するサーバであって、
外部に前記温度調節の開始を通知する温度調節開始通知手段と、
外部から、希望される空気温度と位置情報を受信すると、当該希望される空気温度と位置情報に基づいて、設定温度を決定する設定温度決定手段と、
前記設定温度決定手段によって決定した前記設定温度を、外部に送信する設定温度送信手段と、
を備えることを特徴とするサーバ。
【請求項１２】
外部から、前記希望される空気温度と位置情報を受信すると、前記希望される空気温度の設定要求が含まれているか否か判断し、当該希望される空気温度の設定要求が含まれている場合には、当該希望される空気温度が予め設定された設定可能温度幅の許容範囲内に有るか否かを判断する設定温度適正可否判断手段と、
前記設定温度適正可否判断手段において、前記希望される空気温度が前記予め設定された設定可能温度幅の許容範囲内に有る場合には、当該希望される空気温度に基づいて、前記設定温度を決定する許容範囲設定温度決定手段と、
前記許容範囲設定温度決定手段によって決定した前記設定温度を、外部に送信する許容範囲設定温度送信手段と、
を更に備えることを特徴とする請求項１１に記載のサーバ。
【請求項１３】
前記設定温度決定手段、又は前記設定温度適正可否判断手段により、前記希望される空気温度に基づいて、前記予め設定された設定可能温度幅の許容範囲内に納まるように補正して前記設定温度を決定する設定温度補正手段
を更に備えることを特徴とする請求項１１又は１２に記載のサーバ。
【請求項１４】
前記携帯情報端末を複数台備えた前記サーバであって、
前記サーバは、
複数の前記携帯情報端末から、それぞれ前記希望される空気温度と前記位置情報を受信する複数設定要求受信手段と、
複数の前記希望される空気温度と位置情報に基づいて、前記予め設定された設定可能温度幅の許容範囲内に納まるように補正して前記設定温度を決定する設定温度補正決定手段と、
を更に備えることを特徴とする請求項１１乃至１３の何れか１項に記載のサーバ。
【請求項１５】
前記設定温度は、
前記複数の希望される空気温度と前記位置情報に基づいて、平均設定温度を計算したものである
ことを特徴とする請求項１４に記載のサーバ。
【請求項１６】
空気の温度調節を管理するサーバにおける温度調節管理方法であって、
外部に前記温度調節の開始を通知する温度調節開始通知ステップと、
外部から、希望される空気温度と位置情報を受信すると、当該希望される空気温度と位置情報に基づいて、設定温度を決定する設定温度決定ステップと、
前記設定温度決定ステップにおいて決定した前記設定温度を、外部に送信する設定温度送信ステップと、
を備えることを特徴とする温度調節管理方法。
【請求項１７】
空気の温度調節を管理するサーバにおける温度調節管理プログラムであって、
外部に前記温度調節の開始を通知する温度調節開始通知手順と、
外部から、希望される空気温度と位置情報を受信すると、当該希望される空気温度と位置情報に基づいて、設定温度を決定する設定温度決定手順と、
前記設定温度決定手順において決定した前記設定温度を、外部に送信する設定温度送信手順と、
をコンピュータに実行させることを特徴とする温度調節管理プログラム。
【発明の詳細な説明】
【技術分野】
【０００１】
本発明は、温度調節システム、温度調節方法、サーバ、温度調節管理方法及び温度調節管理プログラムに関し、特に、電車の各車両や飲食店の個室などに適用可能な温度調節システム、温度調節方法、サーバ、温度調節管理方法及び温度調節管理プログラムに関する。
【背景技術】
【０００２】
従来から、電車の各車両や飲食店の店内などでは、車内や室内の混雑状況や湿度などの要因により、乗客や食事中の客の各々がそれぞれ快適と感じる温度は異なっている。
【０００３】
そのため、電車乗務員や飲食店の店員により設定された温度では、乗客や食事中の客にとって快適と感じる温度でないことが頻繁に生じ得る。
【０００４】
そこで、乗客や食事中の客が、その時々の状況下で快適と感じる温度を設定する方法を考える。
【０００５】
ここで、室内空間の空気調節に関し、人の居るところだけ空気の温度を調節する空気調節に関するものが特許文献１に記載されている。
【特許文献１】特開２００６−１０５４８７号公報
【発明の開示】
【発明が解決しようとする課題】
【０００６】
ところで、特許文献１に記載された空気調和システムでは、発信器周辺の雰囲気温度を検知してコントローラに送信することにより、空気の温度を設定する。
【０００７】
この場合、コントローラは、雰囲気温度を用いてエアコンで設定された温度に達していない場所を検知して、エアコンを制御する。
【０００８】
従って、特許文献１に記載されたものでは、ユーザが自ら体感する温度に基づいて判断し、ユーザの意図により希望される温度を設定することができない、という問題があった。
【０００９】
本発明は、上記問題点を鑑みてなされたものであり、ユーザが自ら体感する温度とユーザの意図に基づいて、ユーザ自ら希望する設定温度をコントローラに送信し、快適な室内温度を設定することができる温度調節システム、温度調節方法、サーバ、温度調節管理方法及び温度調節管理プログラムを提供することを目的とする。
【課題を解決するための手段】
【００１０】
本発明に係る温度調節システムは、ユーザにより希望される空気温度と自端末の位置情報を送信する携帯情報端末と、前記携帯情報端末に該携帯情報端末が位置する前記位置情報を送信する位置情報発信装置と、前記携帯情報端末から送信される前記空気温度と前記位置情報を受信する温度調節サーバと、前記温度調節サーバにより送信される設定温度を受信する空気温度調節装置とを備えた温度調節システムであって、前記携帯情報端末は、ユーザにより入力される前記希望される空気温度を取得する希望温度取得手段と、前記位置情報発信装置から当該携帯情報端末が位置する前記位置情報を受信すると共に、当該位置情報を検出する位置情報検出手段と、前記温度調整サーバの温度調節開始通知手段によって通知される温度調節の開始を受信すると、当該温度調節サーバに前記希望される空気温度と前記位置情報を送信する温度設定要求手段と、を備え、前記位置情報発信装置は、前記携帯情報端末が位置する前記位置情報を、当該携帯情報端末に送信する位置情報送信手段を備え、前記温度調節サーバは、前記携帯情報端末に前記温度調節の開始を通知する前記温度調節開始通知手段と、前記携帯情報端末から、前記希望される空気温度と前記位置情報を受信すると、当該希望される空気温度と前記位置情報に基づいて、設定温度を決定する設定温度決定手段と、前記設定温度決定手段によって決定した前記設定温度を、前記空気温度調節装置に送信する設定温度送信手段と、を備え、前記空気温度調節装置は、前記温度調節サーバの前記設定温度送信手段によって送信された前記設定温度を、調整された空気温度として当該空気温度調節装置に設定し、当該調整された空気温度となるように当該空気温度調節装置を運転し、空気温度を調節することを特徴とする。
【００１１】
本発明に係る温度調節方法は、ユーザにより希望される空気温度と自端末の位置情報を送信する携帯情報端末と、前記携帯情報端末に該携帯情報端末が位置する前記位置情報を送信する位置情報発信装置と、前記携帯情報端末から送信される前記空気温度と前記位置情報を受信する温度調節サーバと、前記温度調節サーバにより送信される設定温度を受信する空気温度調節装置とを備えた温度調節システムにおける温度調節方法であって、前記携帯情報端末が、ユーザにより入力される前記希望される空気温度を取得する希望温度取得ステップと、前記位置情報発信装置が、前記携帯情報端末が位置する前記位置情報を、当該携帯情報端末に送信する位置情報送信ステップと、前記携帯情報端末が、当該携帯情報端末が位置する前記位置情報を受信すると共に、当該位置情報を検出する位置情報検出ステップと、前記温度調節サーバが、前記携帯情報端末に温度調節の開始を通知する温度調節開始通知ステップと、前記携帯情報端末が、前記温度調節開始通知ステップにおいて、前記温度調節の開始を受信すると、当該携帯情報端末が前記温度調節サーバに前記希望される空気温度と前記位置情報を送信する温度設定要求ステップと、前記温度調節サーバが、前記携帯情報端末から前記希望される空気温度と前記位置情報を受信すると、当該希望される空気温度に基づいて、設定温度を決定する設定温度決定ステップと、前記温度調節サーバが、前記設定温度決定ステップにおいて決定した前記設定温度を、前記空気温度調節装置に送信する設定温度送信ステップと、前記空気温度調節装置が、前記設定温度送信ステップにおいて送信された前記設定温度を、調整された空気温度として当該空気温度調節装置に設定し、当該調整された空気温度となるように当該空気温度調節装置を運転し、空気温度を調節することを特徴とする。
【００１２】
本発明に係るサーバは、空気の温度調節を管理するサーバであって、外部に前記温度調節の開始を通知する温度調節開始通知手段と、外部から、希望する空気温度と位置情報の設定要求を受信すると、当該希望する空気温度と位置情報の設定要求に基づいて、設定温度を決定する設定温度決定手段と、前記設定温度決定手段によって決定した前記設定温度を、外部に送信する設定温度送信手段と、を備えることを特徴とする。
【００１３】
本発明に係る温度調節管理方法は、空気の温度調節を管理するサーバにおける温度調節管理方法であって、外部に前記温度調節の開始を通知する温度調節開始通知ステップと、外部から、希望する空気温度と位置情報の設定要求を受信すると、当該希望する空気温度と位置情報の設定要求に基づいて、設定温度を決定する設定温度決定ステップと、前記設定温度決定ステップにおいて決定した前記設定温度を、外部に送信する設定温度送信ステップと、を備えることを特徴とする。
【００１４】
本発明に係る温度調節管理プログラムは、空気の温度調節を管理するサーバにおける温度調節管理プログラムであって、外部に前記温度調節の開始を通知する温度調節開始通知手順と、外部から、希望する空気温度と位置情報の設定要求を受信すると、当該希望する空気温度と位置情報の設定要求に基づいて、設定温度を決定する設定温度決定手順と、前記設定温度決定手順において決定した前記設定温度を、外部に送信する設定温度送信手順と、をコンピュータに実行させることを特徴とする。
【発明の効果】
【００１５】
本発明によれば、この温度調節システムは、混雑状況や湿度などの要因によって変化するユーザの体感温度を基に、ユーザが室内の希望する設定温度を変更することが出来る。
【００１６】
これにより、本発明では、ユーザが自ら体感する温度とユーザの意図に基づいて、ユーザ自ら希望する設定温度をコントローラに送信し、快適な室内温度を設定することができる温度調節システム、温度調節方法、サーバ、温度調節管理方法及び温度調節管理プログラムを実現できる。
【発明を実施するための最良の形態】
【００１７】
次に、本発明を実施するための実施形態１について、図面を参照して詳細に説明する。
（実施形態１）
（１）温度調節システムの構成
図１は、本発明に係る実施形態１における温度調節システムの構成を示す概略図である。
【００１８】
なお、実施形態１では、温度調節システムを電車に適用した場合について例示するが、本実施形態はこれに限定されるものではない。
【００１９】
図１に示す温度調節システムは、携帯情報端末１（携帯情報端末１Ａ〜１Ｄを総称して携帯情報端末１と表記する。）と、位置情報発信装置２（位置情報発信装置２Ａと２Ｂを総称して、位置情報発信装置２と表記する。）と、温度調節サーバ３と、冷暖房装置４（冷暖房装置４Ａ〜４Ｃを総称して冷暖房装置４と表記する。）とを備えている。
【００２０】
電車の車両（以下、電車両という。）は、位置情報発信装置２と、温度調節サーバ３と、冷暖房装置４とを備えている。
【００２１】
電車両は、複数の領域に区切られており、図１では例示として、車両領域１〜３の３つに区切られている。
【００２２】
また、１つの車両領域には、１つ以上の冷暖房装置４を備えている。
【００２３】
すなわち図１の例では、車両領域１は、携帯情報端末１Ａと、冷暖房装置４Ａとを備え、車両領域２は、携帯情報端末１Ｂ及び１Ｃと、冷暖房装置４Ｂとを備え、車両領域３は、携帯情報端末１Ｄと、冷暖房装置４Ｃとを備えている。
【００２４】
ここで、携帯情報端末１は、Ｂｌｕｅｔｏｏｔｈ（登録商標）により温度調節サーバ３と通信する通信機能（以下、これをＢｌｕｅｔｏｏｔｈ通信機能という。）を備えている。
【００２５】
また、携帯情報端末１は、乗客が希望する設定温度を入力する機能を備えている。
【００２６】
また、携帯情報端末１は、位置情報発信装置２の信号を受け、ユーザ自身が存在する車両内の位置を検出する機能を備えている。
【００２７】
位置情報発信装置２は、室内ＧＰＳ（Global Positioning System）機能を備える。
【００２８】
ここで、この室内ＧＰＳ機能とは、人工衛星から現在の存在する位置を把握する、位置情報を取得するようになっており、携帯情報端末１の温度設定要求の際に必要な位置情報を、その携帯情報端末１に通知する機能のことをいう。
【００２９】
温度調節サーバ３は、携帯情報端末１とＢｌｕｅｔｏｏｔｈによって通信するＢｌｕｅｔｏｏｔｈ通信機能を備えている。
【００３０】
また、温度調節サーバ３は、冷暖房装置４の温度設定を管理する機能を備えている。
【００３１】
温度調節サーバ３及び冷暖房装置４は、ネットワークで接続されており、温度調節サーバ３からの信号により冷暖房装置４の温度設定が可能である。
【００３２】
図２は、本実施形態に係る温度調節サーバ３の構成を示す概略図である。
【００３３】
図２に示す温度調節サーバ３は、Ｂｌｕｅｔｏｏｔｈ信号入出力インターフェース部３１と、冷暖房装置運転インターフェース部３２と、Ｂｌｕｅｔｏｏｔｈ信号入力部３３と、設定温度補正部３４と、平均設定温度計算部３５と、冷暖房装置温度設定部３６と、記憶装置５０とを備えている。
【００３４】
記憶装置５０は、希望設定温度Ａ３７と、希望設定温度Ｂ３８と、希望設定温度Ｃ３９と、設定温度上限値４０と、設定温度下限値４１と、平均設定温度４２とを備えている。
（２）実施形態１における温度調節システムの動作
次に、本発明に係る実施形態１における温度調節システムの動作について、図３のフローチャートを参照しながら、詳細に説明する。
【００３５】
まず、乗客は（すなわち、ユーザである。）、携帯情報端末１に希望する設定温度（すなわち希望設定温度である。）を入力する（ステップＳ０１）。
【００３６】
次に、位置情報発信装置２は、室内ＧＰＳの機能により、携帯情報端末１が位置情報を検出するために必要な信号を携帯情報端末１に送信する（ステップＳ０２）。
【００３７】
そして、携帯情報端末１は、複数の位置情報発信装置２の信号を受けて（ステップＳ０３）、携帯情報端末１自身は電車両内に存在する位置を検出する（ステップＳ０４）。
【００３８】
次に、温度調節サーバ３は、Ｂｌｕｅｔｏｏｔｈ通信機能により、携帯情報端末１に、電車両の温度を設定する温度調整を開始する旨を通知する（ステップＳ０５）。
【００３９】
そして、温度調節サーバ３は、タイマをセットし、一定時間、携帯情報端末１からの温度設定要求を待つ（ステップＳ０６）。
【００４０】
携帯情報端末装置１は、温度調節サーバ３が温度調整を開始する旨を受信すると、Ｂｌｕｅｔｏｏｔｈ通信により、温度調節サーバ３に温度設定要求を行い、希望設定温度と携帯情報端末１の位置情報を通知する（ステップＳ０７）。
【００４１】
温度調節サーバ３は、乗客の温度設定要求の有無を判断し（ステップＳ０８）、温度設定要求がある場合には、希望設定温度が許容する設定可能温度幅内に収まっているか否か判断する（ステップＳ０９）。
【００４２】
ここで、温度調節サーバ３は、携帯情報端末１から送信された希望設定温度が、許容する設定可能温度幅から外れていた場合には、許容限界値を設定温度に補正する（ステップＳ１０）。
【００４３】
ここで、補正する場合の補正方法は、許容限界値に限定されず、中央値、最頻値などであってもよい。
【００４４】
そして、温度設定サーバ３は、ステップＳ０６において設定したタイマが満了したか否かを判断し（ステップＳ１１）、タイマが満了した場合には、各領域毎に携帯情報端末１と同じ領域に存在する各携帯情報端末１の平均設定温度を計算する（ステップＳ１２）。
【００４５】
ここで、平均値の取り方は、幾何平均、算術平均、調和平均などがあり、何れの平均を求める方法であってもよい。
【００４６】
従って、温度調節サーバ３は、携帯情報端末１が存在する領域に設置された冷暖房装置４に対し、算出された平均設定温度を通知し（ステップＳ１３）、冷暖房装置４に電車両内の室内温度を設定する（ステップＳ１４）。
【００４７】
これにより、冷暖房装置４は、電車両の温度が設定された平均設定温度となるように、空気の温度を調節し、運転を行うことができる（ステップＳ１４）。
【００４８】
ステップＳ１４のあとのフローについては、例えば、ステップＳ０１、或いはステップＳ０５に戻っても良く、また他のフローを付加し、他の処理を行うようにしても良い。
【００４９】
次に、図４の温度調節システムの使用状態図を参照すると、任意の電車両の車両領域に、３台の携帯情報端末１Ａから１Ｃが存在している場合を示している。
【００５０】
以下、図４に示した温度調整システムの使用状態図の概略について、説明する。
【００５１】
各携帯情報端末１Ａから１Ｃは、ステップＳ０１において、ユーザによってそれぞれ希望設定温度が設定されている。
【００５２】
具体的には、携帯情報端末１Ａは希望設定温度が１０℃に設定され、携帯情報端末１Ｂは希望設定温度が２２℃に設定され、携帯情報端末１Ｃは希望設定温度が２７℃に設定されている。
【００５３】
各携帯情報端末１Ａから１Ｃは、ステップＳ０７において、各希望設定温度を温度調節サーバ３に送信するようになっており、各希望設定温度は、温度調節サーバ３において、ステップＳ０８からステップＳ１０の処理が行われる。
【００５４】
具体的には、温度調整サーバ３の設定可能温度幅が２０℃から２８℃であり、ステップＳ０９において、携帯情報端末１Ａの希望設定温度１０℃が設定可能な許容範囲を越えていると判定され、ステップＳ１０において、希望設定温度が２０℃に補正される。
【００５５】
そして、温度調節サーバ３は、ステップＳ１２において、３つの携帯情報端末１の平均設定温度を計算し、冷暖房装置４に平均設定温度を設定する。
【００５６】
なお上述の例では、３つの携帯情報端末１Ａから１Ｃの平均設定温度は２３℃であるため、ステップＳ１３において、温度調節サーバ３が冷暖房装置４に対し平均設定温度である２３℃を通知して、冷暖房装置４に２３℃の温度を設定する。
（３）実施形態１における温度調節システムの効果
本実施形態によれば、本温度調節システムは、混雑状況や湿度などの要因によって変化する乗客の体感温度を基に、乗客が客車の希望する希望設定温度を、予め設定された許容範囲内の設定温度に設定したり変更することが出来る。
【００５７】
また、本温度調節システムは、電車両を冷暖房装置４の数に応じて領域に分割することにより、各領域ごとに冷暖房装置４の温度設定を細かに変更することが出来る。
【００５８】
更に、本温度調節システムは、領域内に存在する乗客であるユーザが希望設定温度を入力して平均設定温度を算出しているので、各領域内の乗客全員の意思を反映させることが出来る。
【００５９】
また、本温度調節システムは、乗客の希望する希望設定温度を、許容する設定温度幅と比較することができるため、乗客による極端な温度設定を回避することが出来る。
【００６０】
更に、本温度調節システムは、一定の時間間隔で乗客に希望設定温度を問い合わせることにより、その時々の状況に応じたリアルタイムな乗客の希望に合わせて、温度設定をすることが出来る。
（４）他の実施形態
実施形態１では、電車両内にて温度設定を行っているが、本実施形態はこれに限らず、バスなどの交通機関、又は映画館やフィットネスクラブなどの屋内施設に適用するようにしても良い。
【００６１】
また、現在設定されている冷暖房装置の設定温度を、乗客が保有する携帯情報端末に表示するようにしても良い。
【００６２】
また、冷暖房装置により設定温度を変更するだけでなく、風量や湿度を変えることにより、体感温度を変更することが可能である。
【００６３】
この場合、車両や領域ごとに異なる設定温度幅を設けると共に、乗客に通知することにより、希望する設定温度が近い乗客を同じ電車両や車両領域に誘導することが出来る。
【図面の簡単な説明】
【００６４】
【図１】本発明に係る実施形態１における温度調節システムの構成図である。
【図２】本発明に係る実施形態１における温度調節サーバの構成図である。
【図３】本発明に係る実施形態１における温度調節システムの動作を示すフローチャートである。
【図４】本発明に係る実施形態１における温度調節システムの使用状態図である。
【符号の説明】
【００６５】
１Ａ、１Ｂ、１Ｃ  携帯情報端末
２Ａ、２Ｂ  位置情報発信装置
３  温度調節サーバ
４Ａ、４Ｂ、４Ｃ  冷暖房装置
３１  Ｂｌｕｅｔｏｏｔｈ信号入出力インターフェース部
３２  冷暖房装置運転インターフェース部
３３  Ｂｌｕｅｔｏｏｔｈ信号入力部
３４  設定温度補正部
３５  平均設定温度計算部
３６  冷暖房装置温度設定部
３７  希望設定温度Ａ
３８  希望設定温度Ｂ
３９  希望設定温度Ｃ
４０  設定温度上限値
４１  設定温度下限値
４２  平均設定温度
５０  記憶装置
【図１】
2009052805.tif 000003
【図２】
2009052805.tif 000004
【図３】
2009052805.tif 000005
【図４】
2009052805.tif 000006